(57)【要約】【課題】  従来の通信機能付撮像装置において、画像を該通信機能を用いて送信するには、送信する画像を選択し送信するといった、煩雑な手順が必要であった。このため、刻一刻と変化する画像を大量に撮影し、必要な画像を素早く送信するといったニーズに答えることは出来なかった。本発明により、かかる問題を解決し、迅速に画像を送信することを可能とする。【解決手段】  本発明の第一の形態により、新しく撮影した画像から順に所定枚数送信する所定枚数送信ボタンなどのユーザインターフェイスを設けることにより、素早く必要な画像を送信することを可能とする。また、本発明による第二の形態により、グループ指定ボタン、該グループ指定ボタンを押した後に撮影した画像を送信するグループ送信ボタンなどのユーザインターフェイスを設けることにより、素早く必要な画像を送信することを可能とする。【選択図】  図４
2006222832.tif 000002
【特許請求の範囲】
【請求項１】
デジタル画像を入力する撮像部と、撮像部により撮像されたデジタル画像が記憶される記憶部と、撮像され記憶部に保存されているデジタル画像を他の端末に送信する通信部と、ユーザーからの命令を取得するUI（ユーザインターフェイス）部を有する通信機能付撮像装置において、該UI部は、所定の枚数のデジタル画像を送信することを指示する所定枚数送信指示機能を有し、該通信部は、該記憶部から、新しく撮影したデジタル画像から順に該所定の枚数のデジタル画像を取得し、送信する所定枚数送信機能を有することを特徴とした通信機能付撮像装置。
【請求項２】
請求項１の通信機能付撮像装置において、該UI部は、該所定の枚数を設定する所定枚数設定機能を有することを特徴とした通信機能付撮像装置。
【請求項３】
デジタル画像を入力する撮像部と、撮像部により撮像されたデジタル画像が記憶される記憶部と、撮像され記憶部に保存されているデジタル画像を他の端末に送信する通信部と、ユーザーからの命令を取得するUI（ユーザインターフェイス）部を有する通信機能付撮像装置において、該UI部は、デジタル画像を複数枚のデジタル画像から構成されるグループに分割するグループ指定機能と、最新のグループに含まれる画像を該記憶部より取得し、送信するグループ送信指示機能を有し、該グループ指定機能は、グループ指定機能を実行してから、次にグループ指定機能及び/又はグループ送信機能を実行する迄に撮像されたデジタル画像を一つのグループとすることを特徴とした通信機能付撮像装置。
【請求項４】
請求項１から３において、該UI部のグループ指定機能、所定枚数送信指示機能及びグループ送信指示機能は、ボタン又はスイッチにより実現することを特徴とした通信機能付撮像装置。
【請求項５】
請求項１から４において、該UI部の所定枚数設定機能は、ボタン、スイッチ、又は画面に表示されるメニューからボタンにより選択する方法により実現することを特徴とした通信機能付撮像装置。
【請求項６】
請求項１から５において、該通信部は、無線通信により画像を送信することを特徴とした通信機能付撮像装置。
【発明の詳細な説明】
【技術分野】
【０００１】
本発明は、通信機能付撮像装置に関し、特に、他の通信機器と接続し、撮像した画像を送信することが可能な通信機能付撮像装置において、通信機能付撮像装置に対し、通信機能付撮像装置のユーザーが、撮像した画像を送信する指示を与える、ユーザインターフェイスに関するものである。
【背景技術】
【０００２】
従来の通信機能付撮像装置において、記録媒体に記録された画像を送信する場合、選択した画像を送信する方法、記録媒体に記憶された全画像を送信する方法、所定のグループを送信する方法などがあった。
【０００３】
又、従来例としては、例えば特許文献１と特許文献２をあげることが出来る。
【特許文献１】特開２００４−２３５８９１号公報
【特許文献２】特開２００４−３４３３２７号公報
【発明の開示】
【発明が解決しようとする課題】
【０００４】
上記従来の技術において説明した方法において、画像或いはグループを選択し、送信するには、複雑な手順が必要であった。また、無線通信による送信には、通信速度が遅いため、長時間必要であった。このため、刻一刻と変化する画像を大量に撮影し、必要な画像を素早く送信するといった、例えば、スポーツ報道におけるカメラマン等のニーズに答えることは出来なかった。
【課題を解決するための手段】
【０００５】
本発明の第一の形態により、新しく撮影した画像から順に所定枚数送信する所定枚数送信ボタンなどのユーザインターフェイスを設けることにより、素早く必要な画像を送信することを可能とする。また、本発明による第二の形態により、グループ指定ボタン、該グループ指定ボタンを押した後に撮影した画像を送信するグループ送信ボタンなどのユーザインターフェイスを設けることにより、素早く必要な画像を送信することを可能とする。
【発明の効果】
【０００６】
本発明の第一の形態により、新しく撮影したデジタル画像から順に所定枚数送信する所定枚数送信ボタンなどのユーザインターフェイスを設けることにより、素早く必要なデジタル画像を送信することを可能とした。また、本発明による第二の形態により、グループ指定ボタン、該グループ指定ボタンを押した後に撮影したデジタル画像を送信するグループ送信ボタンなどのユーザインターフェイスを設けることにより、素早く必要なデジタル画像を送信することを可能とした。
【発明を実施するための最良の形態】
【０００７】
図５は、本発明による通信機能付撮像装置の一例である無線通信機能付撮像装置の利用形態を示した図である。図１は、本発明による通信機能付撮像装置５０１、５０２、無線通信機能付サーバ装置５０３、通信機能付撮像装置５０１、５０２又は無線通信機能付サーバ装置等から送信される無線通信データを受信して、有線ネットワーク上に再送信する無線親局５０４、ローカルエリアネットワークなどで構成される有線ネットワーク網５０５、有線通信機能付サーバ装置５０６から構成される。本発明による通信機能付撮像装置５０１、５０２はそれぞれ外部記録媒体にデジタル画像を記録する記録装置を有し、撮像及び／又は受信したデジタル画像を該外部記録媒体に記録する。
【０００８】
無線通信機能付撮像装置５０１は、撮影したデジタル画像、撮影し記録媒体上に記憶しているデジタル画像及び／又は記憶媒体上に書き込まれているデジタル画像を、無線通信を用いて、他の無線通信機能付撮像装置５０２に送信する。無線通信機能付撮像装置５０２は、受信した画像を記憶媒体上に書き込む。また、無線通信機能付撮像装置５０１は、撮影した画像、撮影し記憶している画像及び／又は記憶媒体上に書き込まれている画像を無線通信により、無線通信機能付サーバ装置５０３、及び／又は無線親局５０４、有線ネットワーク網５０５を経由して優先通信機能付サーバ５０６に送信してもよい。
【０００９】
図１は、本発明による通信機能付撮像装置のUIの一例であり、無線通信機能付デジタルカメラの外見を表裏両方から見た図を示している。無線機能通信機能付デジタルカメラは、画像を入力するレンズ１１１、レンズ１１１から入力した画像を随時表示したり、後述のメニューなどの文字情報を表示したりするファインダー１０１、ユーザーが該無線通信機能付デジタルカメラに対し、画像取り込みの指示を伝えるシャッターボタン１０２、レンズから入力した画像や、後述のメニューなどの文字情報を表示する液晶画面１０３、ユーザーが、該無線通信機能付デジタルカメラに対し該メニューを表示するよう指示を伝えるメニューボタン１０４、メニュー項目から所望のメニュー項目の選択を行う選択ボタン群１０５、選択したメニュー項目を決定する決定ボタン１０６、撮影した画像にグループを設定するグループ設定ボタン１０７、最新のグループに含まれる画像を送信するよう指示するグループ送信ボタン１０８、所定の枚数の画像を送信する所定枚数送信ボタン１０９、画像を無線で送信するためのアンテナ１１０から構成されている。
【００１０】
図２は、本発明による通信機能付撮像装置の一例を示すブロック図であり、レンズ１1１を含み、画像の入力を行う撮像部２０１、アンテナ１１０を含み、無線通信を行うことにより、画像の送信を行う通信部２０２、デジタルカメラに対し、ユーザーが命令を入力するユーザインターフェイスである、シャッターボタン１０２、メニューボタン１０４、選択ボタン群１０５、決定ボタン１０６、グループ設定ボタン１０７、グループ送信ボタン１０８、所定枚数送信ボタン１０９等のボタンから構成される入力部２０３、ファインダー１０１及び液晶画面１０３を含み、画像やメニュー等の文字情報を表示する出力部２０４、撮像部２０１で撮影した画像を記録するコンパクトフラッシュ（登録商標）等のメモリカード、及びメモリカードの読取装置等で構成される外部記録装置２０５、撮像した画像を外部記録装置２０５に記録する前に一時記録したり、制御データ等の一時的なデータを記録したりするメモリ２０６、各装置を協調して制御する制御部２０７から構成される。
【００１１】
本発明による通信機能付撮像装置の動作を図４に示すフローチャートを用いて説明する。
【００１２】
通信機能付撮像装置は、入力処理４０１においてユーザーからの入力を待つ。
【００１３】
メニューボタン１０４が押下された場合、メニュー処理４０２に移行する。メニュー処理４０２において、ファインダー１０１及び／又は液晶画面１０３にユーザーがデジタルカメラに対して指示可能な命令を表す複数のメニュー項目から構成されるメニューを表示する。メニュー表示の一例を図３の３０１に示す。メニュー表示において、現在選択されているメニュー項目を反転、他のメニュー項目とは異なる色、及び／又はマークの付加などで明示する。ユーザーは、選択ボタン群１０５により所望のメニュー項目を選択する。選択に伴い、前記反転、他のメニュー項目とは異なる色、及び／又はマークの付加されているメニュー項目も変更する。ユーザーが、決定ボタン１０６を押下することにより、決定ボタン１０６を押下した時に選択されていたメニュー項目に決定する。メニュー処理４０２により、所定枚数設定が選択された場合に、所定枚数設定処理４０４に移行する。また、所定枚数設定ボタンを別途設け、入力処理４０１において、該所定枚数設定ボタンが押下された場合にも、所定枚数設定処理４０４に移行するよう構成しても良い。所定枚数設定処理４０４においては、ファインダー１０１及び／又は液晶画面１０３に送信枚数を表示する。該送信枚数の表示は、ユーザーが選択ボタン群１０５を押下することにより、変更される。ユーザーは、送信枚数の表示が所望の枚数を示している時に、決定ボタン１０６を押下する。決定ボタン１０６の押下により、前記表示されている送信枚数が決定される。決定された送信枚数は、メモリ２０６に保存される。所定枚数設定処理４０４の完了後、入力処理４０１に移行して、ユーザーの入力を待つ。
【００１４】
シャッターボタン１０２が押下された場合、処理４０５に移行して、撮像処理が行われる。撮像処理４０５においては、撮像部２０１で撮影された画像が、外部記録装置２０５に保存される。撮像処理４０５が完了したら、入力処理４０１に移行して、ユーザーの入力を待つ。
【００１５】
グループ設定ボタン１０７が押下された場合、グループ設定処理４０６に移行する。グループ設定処理４０６では、グループ設定ボタンが押下されてから、次にグループ設定ボタンが押下されるまでに撮影されたデジタル画像を１つのグループとする。撮影されたデジタル画像は、外部記憶装置２０５に、グループ毎のフォルダを作成し記録されることによりグループ分けが成される。また、デジタル画像のグループ分けは、画像名と該画像が属するグループ識別子を対にして記述したグループ識別ファイルを作成し、デジタル画像とは別に外部記憶装置２０５に記憶しても良いし、各デジタル画像に該デジタル画像が属するグループを識別するグループ識別子を対応付けて記憶しても良いし、その他の方法によって実現しても良い。グループ設定処理４０６が完了したら、入力処理４０１に移行して、ユーザーの入力を待つ。
【００１６】
グループ送信ボタン１０８が押下された場合、グループ送信処理４０７に移行する。グループ送信処理４０７において、外部記憶装置２０５から現在撮影中のグループに属するデジタル画像が順に読み出されて、通信部２０２から送信される。また、グループ送信処理４０７の後ろ又は前において、グループ設定処理を行っても良い。グループ送信処理４０７の前にグループ設定処理を行う場合、グループ送信処理４０７においては、最新のグループに属する画像を順に送信する。グループ送信処理４０７が完了したら、入力処理４０１に移行して、ユーザーの入力を待つ。
【００１７】
所定枚数送信ボタン１０９が押下された場合、所定枚数送信処理４０８に移行する。所定枚数送信処理４０８においては、メモリ２０６から所定枚数を読み出し、最新の撮影画像から、該所定枚数分のデジタル画像を送信する。新しいデジタル画像の識別は、撮影時に、撮影順に番号を振り、デジタル画像を保存しておくことによって行ってもよいし、撮影時間のタイムスタンプをデジタル画像と対にして保存することにより、該タイムスタンプによって行ってもよい。所定枚数送信処理４０８が完了したら、入力処理４０１に移行して、ユーザーの入力を待つ。
【図面の簡単な説明】
【００１８】
【図１】図１は、本発明による通信機能付撮像装置の外装の一例を示す模式図である。
【図２】図２は、本発明による通信機能付撮像装置の一例を示すブロック図である。
【図３】図３は、本発明による通信機能付撮像装置の送信枚数設定ユーザインターフェイスの一例を示す図である。
【図４】図４は、本発明による通信機能付撮像装置の動作の一例を示すフローチャートである。
【図５】図５は、本発明による通信機能付撮像装置の利用形態を示す概念図である。
【図１】
2006222832.tif 000003
【図２】
2006222832.tif 000004
【図３】
2006222832.tif 000005
【図４】
2006222832.tif 000006
【図５】
2006222832.tif 000007